(57)【特許請求の範囲】
【請求項１】
長尺の記録材料に対して画像を記録する画像記録装置であって、
前記記録材料を巻き出す巻き出しローラと、
前記巻き出しローラから巻き出された記録材料を巻き取る巻き取りローラと、
前記巻き出しローラと前記巻き取りローラとの間に配設され、前記巻き出しローラから巻き出され前記巻き取りローラにより巻き取られることで一方向に移動する記録材料をその下面から吸着保持した状態で、前記記録材料の移動方向に往  復移動する吸着テーブルと、
前記吸着テーブルの前記記録材料の移動方向の両端に配設された状態で前記吸着テーブルと同期して移動し、前記吸着テーブルの表面から前記記録材料を剥離するための一対の剥離ローラと、
前記吸着テーブルの移動ストロークの上方に配設され、前記記録材料の移動方向と交差する方向に移動する記録ヘッドと、
前記吸着テーブルの前記巻き出しローラ側の移動ストロークの端部と前記巻き出しローラとの間に配設された第１のダンサーローラ機構と、
前記吸着テーブルの前記巻き取りローラ側の移動ストロークの端部と前記巻き取りローラとの間に配設された第２のダンサーローラ機構と、
前記吸着テーブルの前記巻き取りローラ側の移動ストロークの端部と前記第２のダンサーローラ機構との間に配設された一対のニップローラと、を備え、
前記一対のニップローラは、前記記録材料を挟持する挟持状態と前記記録材料を解放する解放状態をとることが可能であり、
前記記録材料を前記吸着テーブルに吸着保持するとき、および、前記吸着テーブルによる前記記録材料の吸着保持を解除するときには、前記記録材料を前記一対のニップローラにより挟持して固定し、前記記録ヘッドにより画像を記録するときには、前記一対のニップローラによる前記記録材料の挟持を解除して前記記録材料を解放することを特徴とする画像記録装置。
【請求項２】
請求項１に記載の画像記録装置において、
前記吸着テーブルは、前記巻き出しローラから巻き出され前記巻き取りローラにより巻き取られる記録材料の表面に垂直な軸を中心に、前記記録材料の表面と平行な平面内で微小角度回動する画像記録装置。
【請求項３】
請求項２に記載の画像記録装置において、
前記吸着テーブルに吸着保持された記録材料の表面に形成されたアライメントマークを検出するカメラを備え、
前記吸着テーブルは、前記カメラによるアライメントマークの検出結果に基づいて微小角度回転する画像記録装置。
【請求項４】
請求項３に記載の画像記録装置において、
前記巻き出しローラから巻き出され、前記吸着テーブルに吸着保持される前の記録材料の両面にアライメントマークを形成するアライメントマーク形成機構を備える画像記録装置。
【請求項５】
請求項４に記載の画像記録装置において、
前記アライメントマーク形成機構は、前記第１のダンサーローラ機構と前記吸着テーブルの前記巻き出しローラ側の移動ストロークの端部との間に配設される画像記録装置。
【請求項６】
請求項４に記載の画像記録装置において、
前記アライメントマーク形成機構は、前記巻き出しローラと前記第１のダンサーローラ機構との間に配設される画像記録装置。  
【請求項７】
請求項１乃至請求項６のいずれかに記載の画像記録装置において、
前記吸着テーブルは、そこに吸着保持した記録材料の幅方向の両端部を前記吸着テーブルの表面に向けて押圧する押さえ板を備える画像記録装置。
【発明の詳細な説明】
【技術分野】
【０００１】
この発明は、長尺の記録材料に対して画像を記録する画像記録装置に関する。
【背景技術】
【０００２】
画像の記録を行うときには、一般的には、シート状の記録材料に対して画像を記録する画像記録装置が使用されている。しかしながら、例えば、ＦＰＣ（フレキシブル・プリント・サーキット）等と呼称される可撓性のプリント基板用の記録材料のように、その厚みが例えば０．１ｍｍ以下の薄い記録材料を使用する場合には、記録材料を画像の記録のためのテーブルに載置したときや、オペレータが記録材料を装置に投入するとき等に、記録材料にしわが生じやすいという問題が生ずる。
【０００３】
このため。例えばロール状の長尺の記録材料を使用し、長尺の記録材料をその長手方向に搬送しながら、その記録材料に画像を記録する画像記録装置も提案されている（例えば、特許文献１参照）。
【特許文献１】特開２００３−１１５４４９号公報
【発明の開示】
【発明が解決しようとする課題】
【０００４】
上記特許文献１に記載された画像記録装置は、巻き取りロールにより記録材料を搬送して画像を記録する構成であることから、高精度で画像を記録することは困難である。
【０００５】
この発明は上記課題を解決するためになされたものであり、記録材料にしわ等を生ずることなく、画像を正確に記録することが可能な画像記録装置を提供することを目的とする。
【課題を解決するための手段】
【０００６】
請求項１に記載の発明は、長尺の記録材料に対して画像を記録する画像記録装置であって、前記記録材料を巻き出す巻き出しローラと、前記巻き出しローラから巻き出された記録材料を巻き取る巻き取りローラと、前記巻き出しローラと前記巻き取りローラとの間に配設され、前記巻き出しローラから巻き出され前記巻き取りローラにより巻き取られることで一方向に移動する記録材料をその下面から吸着保持した状態で、前記記録材料の移動方向に往復移動する吸着テーブルと、前記吸着テーブルの前記記録材料の移動方向の両端に配設された状態で前記吸着テーブルと同期して移動し、前記吸着テーブルの表面から前記記録材料を剥離するための一対の剥離ローラと、前記吸着テーブルの移動ストロークの上方に配設され、前記記録材料の移動方向と交差する方向に移動する記録ヘッドと、前記吸着テーブルの前記巻き出しローラ側の移動ストロークの端部と前記巻き出しローラとの間に配設された第１のダンサーローラ機構と、前記吸着テーブルの前記巻き取りローラ側の移動ストロークの端部と前記巻き取りローラとの間に配設された第２のダンサーローラ機構と、前記吸着テーブルの前記巻き取りローラ側の移動ストロークの端部と前記第２のダンサーローラ機構との間に配設された一対のニップローラとを備え、前記一対のニップローラは、前記記録材料を挟持する挟持状態と前記記録材料を解放する解放状態をとることが可能であり、前記記録材料を前記吸着テーブルに吸着保持するとき、および、前記吸着テーブルによる前記記録材料の吸着保持を解除するときには、前記記録材料を前記一対のニップローラにより挟持して固定し、前記記録ヘッドにより画像を記録するときには、前記一対のニップローラによる前記記録材料の挟持を解除して前記記録材料を解放することを特徴とする。
【０００７】
請求項２に記載の発明は、請求項１に記載の発明において、前記吸着テーブルは、前記巻き出しローラから巻き出され前記巻き取りローラにより巻き取られる記録材料の表面に垂直な軸を中心に、前記記録材料の表面と平行な平面内で微小角度回動する。
【０００８】
請求項３に記載の発明は、請求項２に記載の発明において、前記吸着テーブルに吸着保持された記録材料の表面に形成されたアライメントマークを検出するカメラを備え、前記吸着テーブルは、前記カメラによるアライメントマークの検出結果に基づいて微小角度回転する。
【０００９】
請求項４に記載の発明は、請求項３に記載の発明において、前記巻き出しローラから巻き出され、前記吸着テーブルに吸着保持される前の記録材料の両面にアライメントマークを形成するアライメントマーク形成機構を備える。
【００１０】
請求項５に記載の発明は、請求項４に記載の発明において、前記アライメントマーク形成機構は、前記第１のダンサーローラ機構と前記吸着テーブルの前記巻き出しローラ側の移動ストロークの端部との間に配設される。
【００１１】
請求項６に記載の発明は、請求項４に記載の発明において、前記アライメントマーク形成機構は、前記巻き出しローラと前記第１のダンサーローラ機構との間に配設される。
【００１２】
請求項７に記載の発明は、請求項１乃至請求項６のいずれかに記載の発明において、前記吸着テーブルは、そこに吸着保持した記録材料の幅方向の両端部を前記吸着テーブルの表面に向けて押圧する押さえ板を備える。
【発明の効果】
【００１３】
請求項１に記載の発明によれば、記録材料にしわ等を生ずることなく、画像を正確に記録することが可能となる。
【００１４】
請求項２に記載の発明によれば、画像の記録位置を調整することが可能となる。
【００１５】
請求項３に記載の発明によれば、アライメントマークの位置を測定して、画像を正確な位置に記録することが可能となる。
【００１６】
請求項４に記載の発明によれば、記録材料の表面に画像を記録するときに、記録材料の表面に記録される画像と裏面に記録される画像の位置決めを行うためのアライメントマークを形成することが可能となる。
【００１７】
請求項５に記載の発明によれば、アライメントマーク形成機構を、容易に後から画像記録装置に付設することが可能となる。
【００１８】
請求項６に記載の発明によれば、画像の記録時にアライメントマークを形成することが可能となる。
【００１９】
請求項７に記載の発明によれば、記録材料の幅方向の両端部にしわを生ずることなく吸着テーブルの表面に吸着保持することが可能となる。
【発明を実施するための最良の形態】
【００２０】
以下、この発明の実施の形態を図面に基づいて説明する。図１はこの発明の第１実施形態に係る画像記録装置の側面概要図であり、図２はその平面概要図である。
【００２１】
この画像記録装置は、ＦＰＣ用の薄型長尺の記録材料１に画像を記録するものであり、
記録材料１を巻き出す巻き出しローラ１１と第１ダンサーローラ機構１２とを備えた供給部２と、記録材料１の両面にアライメントマークを形成するアライメントマーク形成機構３と、画像記録部４と、第２ダンサーローラ機構１３と記録材料１を巻き取る巻き取りローラ１４とを備えた回収部５とを備える。
【００２２】
前記供給部２は、図示しないモータの駆動により回転する巻き出しローラ１１と、ガイドローラ１５と、一対の固定ローラ２１、２２およびダンサーローラ２３よりなる第１ダンサーローラ機構１２から構成される。同様に、前記回収部５は、図示しないモータの駆動により回転する巻き取りローラ１４と、ガイドローラ１６と、一対の固定ローラ２４、２５およびダンサーローラ２６よりなる第２ダンサーローラ機構１３から構成される。さらに、前記アライメントマーク形成機構３は、上下一対の露光部５２、５３からなるアライメントマーク形成部５１を備える。
【００２３】
次に、前記画像記録部４の構成について説明する。図３は画像記録部４の側面概要図であり、図４はその平面概要図である。
【００２４】
この画像記録部４は、記録材料１をその下面から吸着保持する吸着テーブル３１と、この吸着テーブル３１の移動方向の両端に配設され吸着テーブル３１の表面から記録材料１を剥離する一対の剥離ローラ３２と、記録材料１に形成されたアライメントマークＭ（図２参照）を検出する一対のＣＣＤカメラ３３と、４個の記録ヘッド３４ａ、３４ｂ、３４ｃ、３４ｄ（これらを総称する場合には「記録ヘッド３４」という）と、一対のニップローラ３５とを備える。
【００２５】
吸着テーブル３１の表面には、記録材料１を吸着保持するための多数の吸着孔が穿設されている。また、この吸着テーブル３１は、Ｚ軸テーブル３６および回転テーブル３７と、支持台４１とを介して、リニアモータ４０の可動子３８と連結されている。このため、吸着テーブル３１は、リニアモータ４０の固定子３９に沿って、図３において実線で示す巻き出しローラ１１側の移動ストロークの端部から、図３において仮想線で示す巻き取りローラ１４側の移動ストロークの端部まで、Ｙ方向に往復移動する。そして、上述した一対の剥離ローラ３２は、支持台４１に連結されており、吸着テーブル３１の移動に同期して、Ｙ方向に往復移動する構成となっている。また、この一対の剥離ローラ３２は、図示しない昇降機構により、図１および図３に示すＺ方向に昇降する。
【００２６】
図５は、上述したＺ軸テーブル３６および回転テーブル３７を示す説明図である。ここで、図５（ａ）は回転テーブル３７の平面図、図５（ｂ）はＺ軸テーブル３６の平面図、また、図５（ｃ）は回転テーブル３７およびＺ軸テーブル３６の側面図である。
【００２７】
図５（ａ）および図５（ｃ）に示すように、回転テーブル３７は、モータ４２の駆動により回転部４３を回転させることで、吸着テーブル３１を、巻き出しローラ１１から巻き出され巻き取りローラ１４により巻き取られる記録材料１の表面に垂直な軸を中心に、記録材料１の表面と平行な平面内で微小角度回動させるものである。すなわち、吸着テーブル３１は、モータ４２の駆動により、図４に示すθ方向に回動する。
【００２８】
また、図５（ｂ）および図５（ｃ）に示すように、Ｚ軸テーブル３６は、モータ４４の駆動により基部４５をスライドさせることで、吸着テーブル３１を、巻き出しローラ１１から巻き出され巻き取りローラ１４により巻き取られる記録材料１の表面に垂直な方向に昇降させるためのものである。すなわち、吸着テーブル３１は、モータ４４の駆動により、図３に示すＺ方向に昇降する。
【００２９】
上述した吸着テーブル３１には、そこに吸着保持した記録材料１の幅方向の両端部を吸着テーブル３１の表面に向けて押圧する押さえ板４８とその移動機構が付設されている。図６は吸着テーブル３１に付設された押さえ板４８の移動機構を示す側面概要図であり、図７はその平面図である。
【００３０】
吸着テーブル３１における記録材料１の幅方向の両端部の側方には、エアシリンダ４４の駆動で移動する移動部材４５が配設されている。この移動部材４５には、移動部材４５の移動に伴って軸４７とともに回動する回動部材４６が配設されており、この回動部材４６には押さえ板４８が付設されている。このため、エアシリンダ４４の駆動で移動部材４５を移動させることにより、記録材料１の幅方向の両端部を、押さえ板４８により押圧することができる。そして、この押さえ板４８は、記録材料１とともに吸着テーブル３１の表面に吸着保持されることから、記録材料１の端部に記録材料１が吸着テーブル３１に吸着される際にしわ４９（図６（ａ）参照）が生じていたとしても、このしわを解消して記録材料１を吸着テーブル３１に吸着保持することが可能となる。
【００３１】
なお、図７（ａ）および図７（ｂ）に示すように、一対の押さえ板４８とその移動機構のうち、一方の押さえ板４８とその移動機構は、記録材料１の幅方向の位置を変更可能となっている。このため、記録材料１の幅が変更された場合にも、押さえ板４８により記録材料１の幅方向の両端部を吸着テーブル３１の表面に向けて確実に押圧することが可能となる。
【００３２】
再度、図３および図４を参照して、記録材料１に形成されたアライメントマークＭ（図２参照）を測定する一対のＣＣＤカメラ３３は、各々、モータ８５の駆動により回転するボールねじ８６と連結されている。このため、これらのＣＣＤカメラ３３は、アライメントマークＭの位置に応じてその撮像位置を変更することが可能となっている。
【００３３】
上述した４個の記録ヘッド３４ａ、３４ｂ、３４ｃ、３４ｄは、吸着テーブル１の移動ストロークの上方に配設され、記録材料１の移動方向と交差する方向（図４に示すＸ方向）に延びる一対のリニアガイド８８に案内されて移動可能となっている。そして、一対のリニアガイド８８の間には、リニアガイド８８と平行に配置されたリニアモータ８７が配設されている。このため、４個の記録ヘッド３４ａ、３４ｂ、３４ｃ、３４ｄは、リニアモータ８７の駆動により、Ｘ方向に往復移動する。
【００３４】
上述した一対のニップローラ３５のうち、上側のニップローラ３５は、エアシリンダ８９の駆動により図３に示すＺ方向に昇降する。このため、エアシリンダ８９の駆動により、一対のニップローラ３５は、記録材料１を挟持する挟持状態と、記録材料１を解放する解放状態とをとることが可能となる。
【００３５】
次に、前記アライメントマーク形成機構３の構成について説明する。上述したように、アライメントマーク形成機構３は、上下一対の露光部５２、５３からなるアライメントマーク形成部５１を一対備える。図８は各アライメントマーク形成部５１の斜視図であり、図９はその縦断面図である。
【００３６】
このアライメントマーク形成部５１は、記録材料１表面側と裏面側に各々同軸上に配設された、一対の露光部５２、５３を備える。この一対の露光部５２、５３は、記録材料１の非有効領域に一対のアライメントマークＭを形成する。
【００３７】
各露光部５２、５３は、ＵＶ光を出射するＬＥＤ５４と、位置決め用アライメントマークＭに対応したパターンを有するマスク５５と、複数のレンズ６１、６２、６３、６４、６５、６６および絞りとしてのアパーチャ６７より成る光学系とを備える。マスク５５、複数のレンズ６１、６２、６３、６４、６５、６６およびアパーチャ６７は、鏡筒６８により支持されている。なお、複数のレンズ６１、６２、６３、６４、６５、６６およびアパーチャ６７より成る光学系は、マスク５５のパターンを記録材料１の表面および裏面に投影する投影光学系として機能する。
【００３８】
記録材料１の裏面側に配設された露光部５３は、ホルダー７２を介してベースブロック７１に固定されている。また、記録材料１の表面側に配設された露光部５２は、ホルダー７４により支持されている。このホルダー７４はリニアガイド７３を介してベースブロック７１に連結されている。また、ホルダー７４には、ナット７８が付設されている。このナット７８は、ボールねじ７７と螺合している。そして、このボールねじ７７は、カップリング７６を介してモータ７５と連結されている。このため、上側の露光部５２は、モータ７５の駆動により昇降する。
【００３９】
図８に示すように、上側の露光部５２の側方には、押さえ部５７を備えたエアシリンダ５６が配設されいる。また、図８および図９に示すように、上側の露光部５２と下側の露光部５３との間には、その中央に開口部８１が形成された支持板８２が配設されている。この支持板８２および押さえ部５７は、それらの間に記録材料１を挟持して固定するためのものである。また、図８に示すように、上側の露光部５２の側方には、支持板８２上に配置された記録材料１の表面の高さ位置を測定するためのセンサ８３が配設されている。
【００４０】
次に、このアライメントマーク形成部５１により、記録材料１の両面に形成されるパターンの位置決め用アライメントマークＭを形成する場合のアライメントマーク形成動作について説明する。
【００４１】
アライメントマークＭを形成する場合には、最初に、記録材料１を固定する。すなわち、エアシリンダ５６の駆動により押さえ部５７を下降させ、記録材料１を押さえ部５７と支持板８２との間に挟持して固定する。そして、必要な場合には、センサ８３より検出した記録材料１の表面の高さ位置に基づいて、モータ７５の駆動により上側の露光部５２を昇降させ、記録材料１の上面に露光部５２におけるマスク５５のパターンが結像されるようにする。なお、露光部５３におけるマスク５５のパターンは、支持板８２上に配置された記録材料１の裏面に結像されるように、露光部５３が予め配置されている。
【００４２】
この状態において、各露光部５２、５３におけるＬＥＤ５４を点灯し、ＵＶ光を出射させる。これにより、マスク５５のパターンが光学系を介して記録材料１の表面および裏面に投影される。このときには、記録材料１の表面に形成されたフォトレジストに対し、マスク５５のパターンが焼き付けられ、潜像が形成される。これにより、記録材料１に対し、位置決め用アライメントマークＭが形成される。
【００４３】
次に、上述した画像記録装置による画像の記録動作について説明する。
【００４４】
この画像記録装置においては、最初に記録材料１画像を記録する前に、巻き出しローラ１１から巻き出され巻き取りローラ１４により巻き取られる記録材料１に対して、上述したアライメントマーク形成機構３により、その表面側および裏面側にアライメントマークＭが形成される。
【００４５】
そして、画像を記録するときには、記録材料１の画像記録エリアを吸着テーブル３１により吸着保持する。このときには、上述した一対のニップローラ３５は記録材料１を挟持しており、記録材料は固定されている。また、このときには、上述した押さえ板４８により、記録材料１の幅方向の両端部が吸着テーブル３１の表面に向けて押圧される。そして、記録材料１におけるアライメントマークＭの位置を一対のＣＣＤカメラ３３により検出する。
【００４６】
次に、これらのＣＣＤカメラ３３によるアライメントマークＭの検出結果に基づいて、上述した回転テーブル３７の作用により、吸着テーブル３１を巻き出しローラ１１から巻き出され巻き取りローラ１４により巻き取られる記録材料１の表面に垂直な軸を中心に、記録材料１の表面と平行な平面内で微小角度回動させることにより、回転テーブル１の位置決めを行う。
【００４７】
すなわち、記録材料１の両面にプリント配線基板等のパターンを記録する場合においては、記録材料１の両面に記録されるパターンを互いに位置決めする必要がある。このため、記録材料１の表面および裏面に画像を記録するときに、先にアライメントマーク形成機構３により記録材料の両面に形成したアライメントマークＭを利用して回転テーブル１を移動させることにより、記録材料１の位置決めを実行する。
【００４８】
次に、一対のニップローラ３５による記録材料１のニップを解除する。そして吸着テーブル１が図２および図３に示すＹ方向に往復移動するとともに、この往復移動と同期して４個の記録ヘッド３４ａ、３４ｂ、３４ｃ、３４ｄ図４に示すＸ方向に間欠移動する。このような動作を繰り返すことにより、記録材料１における画像記録エリア全域に対して、４個の記録ヘッド３４ａ、３４ｂ、３４ｃ、３４ｄにより画像の記録が実行される。
【００４９】
このときには、吸着テーブル３１の往復移動に伴い、記録材料１が吸着テーブル３１の移動ストロークだけ進退を繰り返す。この記録材料１の移動は、第１、第２のダンサーローラ機構１２、１３により吸収される。このときのダンサーローラ２３、２６の昇降距離は、吸着テーブル３１の移動ストロークの二分の一となっている。
【００５０】
画像の記録が終了すれば、記録材料１を、図１において矢印Ａで示す方向に、巻き出しローラ１１から巻き出すとともに巻き取りローラ１４により巻き取る。このときには、吸着テーブル３１により記録材料１を吸着保持したままの状態で、次の画像記録エリアに対応したアライメントマークＭが一対のＣＣＤカメラ３３により読み取られる位置まで記録材料１が吸着テーブル３１とともに移動される。このときには、巻き出しローラ１１は記録材料１を吸着テーブル３１の移動距離だけ巻き出し、巻き取りローラ１４は記録材料１を吸着テーブル３１の移動距離だけ巻き取る。
【００５１】
次に、一対のニップローラ３５により記録材料１を挟持して固定する。そして、吸着テーブル３１による記録材料１の吸着保持を解除する。しかる後、吸着テーブル３１の移動方向の両端に配設された一対の剥離ローラ３２を上昇させることにより、吸着テーブル３１の表面から記録材料１を剥離する。なお、剥離ローラ３２を上昇させる代わりに、上述したＺ軸テーブル３６を利用して吸着テーブル３１を下降させることにより、吸着テーブル３１の表面から記録材料１を剥離してもよい。
【００５２】
そして、吸着テーブル３１を、記録材料１における次の画像記録エリアに対応する位置まで移動させる。このときには、一対の剥離ローラ３２は、記録材料１の下面に当接した状態で回転する。そして、一対の剥離ローラ３２を下降させ、記録材料１を吸着テーブル３１により吸着保持する。
【００５３】
以上のように、この発明に係る画像記録装置によれば、吸着テーブル３１が長尺の記録材料１を吸着保持した状態で往復移動し、この記録材料１に記録ヘッド３４が画像を記録する構成であることから、記録材料１にしわ等を生ずることなく、画像を正確に記録することが可能となる。
【００５４】
次に、この発明の他の実施形態について説明する。図１０はこの発明の第２実施形態に係る画像記録装置の側面概要図であり、図１１はその平面概要図である。なお、上述した第１実施形態と同一の部材については、同一の符号を付して詳細な説明を省略する。
【００５５】
上述した第１実施形態に係る画像記録装置においては、アライメントマーク形成機構３が第１のダンサーローラ機構１２と吸着テーブル３１の巻き出しローラ１１側の移動ストロークの端部との間に配設されている。このような構成を採用した場合には、アライメントマーク形成機構３を、容易に後から画像記録装置に付設することが可能となる。
【００５６】
これに対して、この第２実施形態に係る画像記録装置においては、アライメントマーク形成機構３が、巻き出しローラ１１と第１のダンサーローラ機構１２との間に配設されている。このような構成を採用した場合には、画像の記録時にアライメントマークＭを形成することが可能となる。すなわち、この第２実施形態に係る画像記録装置においては、吸着テーブル３１を往復移動させて画像を記録しているときに、アライメントマーク形成機構３における上下一対の露光部５２、５３を利用して記録材料１にアライメントマークＭを形成する。
【００５７】
このときには、アライメントマーク形成機構３付近の記録材料１は、第１のダンサーローラ機構１２におけるダンサーローラ２３の作用により静止している。なお、例えば、第１のダンサーローラ機構１２における固定ローラ２１と対向する位置にニップローラを配設することにより、記録材料１を強制的に停止させるようにしてもよい。
【００５８】
次に、この発明のさらに他の実施形態について説明する。図１２はこの発明の第３実施形態に係る画像記録装置の平面概要図であり、図１３はその部分拡大図である。なお、上述した第１実施形態と同一の部材については、同一の符号を付して詳細な説明を省略する。
【００５９】
この実施形態に係る画像記録装置は、第１実施形態に係る画像記録装置と同様の構成を備えているが、比較的幅広の記録材料１に対して画像の記録を行う代わりに、比較的幅の狭い一対の記録材料１ａおよび１ｂに対して画像を記録する構成となっている。
【００６０】
すなわち、この実施形態に係る画像記録装置においては、一対の記録ヘッド３４ａ、３４ｂを使用して一方の記録材料１ａに対して画像を記録するとともに、一対の記録ヘッド３４ｃ、３４ｄを使用して他方の記録材料１ｂに対して画像を記録する構成となっている。そして、この実施形態においては、アライメントマーク形成機構３におけるアライメントマーク形成部５１は各記録材料１ａ、１ｂ毎に一対配設されており、ＣＣＤカメラ３３も各記録材料１ａ、１ｂ毎に一対配設されている。
【００６１】
この画像記録装置においては、図１３に示すように、４個の画像領域１０１、１０２、１０３、１０４に、同一の画像を記録するようにしてもよいし、各々異なる画像を記録するようにしてもよい。この画像記録装置においては、２本の長尺の記録材料１ａ、１ｂに同時に画像を記録することができるので、生産性の向上が図れるとともに、多品種少量生産に対応することが可能となる。
【図面の簡単な説明】
【００６２】
【図１】この発明の第１実施形態に係る画像記録装置の側面概要図である。
【図２】この発明の第１実施形態に係る画像記録装置の平面概要図である。
【図３】画像記録部４の側面概要図である。
【図４】画像記録部４の平面概要図である。
【図５】Ｚ軸テーブル３６および回転テーブル３７を示す説明図である。
【図６】押さえ板４８の移動機構を示す側面概要図である。
【図７】押さえ板４８の移動機構を示す平面図である。
【図８】アライメントマーク形成部５１の斜視図である。
【図９】アライメントマーク形成部５１の縦断面図である。
【図１０】この発明の第２実施形態に係る画像記録装置の側面概要図である。
【図１１】この発明の第２実施形態に係る画像記録装置の平面概要図である。
【図１２】この発明の第３実施形態に係る画像記録装置の平面概要図である。
【図１３】この発明の第３実施形態に係る画像記録装置の部分拡大図である。
【符号の説明】
【００６３】
１      記録材料
２      供給部
３      アライメントマーク形成機構
４      画像記録部
５      回収部
１１    巻き出しローラ
１２    第１ダンサーローラ機構
１３    第２ダンサーローラ機構
１４    巻き取りローラ
３１    吸着テーブル
３２    剥離ローラ
３３    ＣＣＤカメラ
３４    記録ヘッド
３５    ニップローラ
３６    Ｚ軸テーブル
３７    回転テーブル
３８    可動子
３９    固定子
４０    リニアモータ
４１    支持台
４８    押さえ板
５１    アライメントマーク形成部
５２    露光部
５３    露光部
８５    モータ
８６    ボールねじ
８８    リニアガイド
８９    エアシリンダ
【図１】
0005362259.tif 000002
【図２】
0005362259.tif 000003
【図３】
0005362259.tif 000004
【図４】
0005362259.tif 000005
【図５】
0005362259.tif 000006
【図６】
0005362259.tif 000007
【図７】
0005362259.tif 000008
【図８】
0005362259.tif 000009
【図９】
0005362259.tif 000010
【図１０】
0005362259.tif 000011
【図１１】
0005362259.tif 000012
【図１２】
0005362259.tif 000013
【図１３】
0005362259.tif 000014